(57)【特許請求の範囲】
【請求項１】
略コの字形に形成されて相互に嵌合可能な第１部材と第２部材とからなる球移送管の保持部材であって、第１部材と第２部材との上側片と下側片には複数の球移送管の挿通部が設けられ、それらの側面には、嵌合された第１部材と第２部材の側面をスライド接近させて挿通部に挿通された球移送管を締め付けるためのねじ部品の締結孔が複数設けられていることを特徴とする球移送管の保持部材。
【請求項２】
球移送管の挿通部が、列状に配置された挿通孔である請求項１に記載の球移送管の保持部材。
【請求項３】
球移送管の挿通部が、列状に配置された切込み凹部であって、略コの字形に形成された第１部材と第２部材とがその開口部を対向させて嵌合される請求項１に記載の球移送管の保持部材。
【請求項４】
球移送管を複数の当接点でもって締め付けるために、少なくとも球移送管を締め付ける側の挿通部の形状を多角形に形成した請求項１〜３の何れかに記載の球移送管の保持部材。
【発明の詳細な説明】
【０００１】
【発明の属する技術分野】
本発明は、球揚送装置と接続されて遊技球を揚送したり、パチンコ島間で球の受け渡しを行う多数本の球移送管を締め付けて保持するための球移送管の保持部材に関するものである。
【０００２】
【従来の技術】
一般にパチンコ店には複数台のパチンコ機が列設されたパチンコ島が幾つか配置されているが、各パチンコ島には、通常、遊技者が遊技を行うに必要な球を各パチンコ機に補給するための球補給装置が備えられている。球補給装置においては、各パチンコ機から排出されたアウト球はパチンコ島下部のアウト球プールタンクに一旦回収され、回収されたアウト球は研磨機で研磨されたのち、球揚送装置によりパチンコ島上部に揚送されて分配通路を介して各パチンコ機に補給される。また、パチンコ島間ではそれぞれのパチンコ島の球数を調整するために球の受け渡しが行われる。
【０００３】
以上のような球揚送装置により球を揚送したり、パチンコ島間の球の受け渡しを行うに当たっては、球揚送装置と接続されて球を揚送するための球揚送パイプや、パチンコ島間で球の受け渡しを行うための通常の球搬送樋に代わる球搬送パイプなどの球移送管を、多数本並列させた状態で保持部材を用いて固定して揚送や受け渡しを行っていた。従来使用されてきた球移送管の保持部材は、例えば図８に示すように半円形の凹部６を備えた厚さ１０ｍｍ程度の２つの部材を対向させビス７で締め付けることによって球移送管を挟み込んで固定する構造となっていた。しかしながら、このような構造の保持部材では球移送管の径が凹部６の径より若干でも大きい場合には球移送管を挿着することができず、半円形の凹部６の径を変更して保持部材を作り直さねばならないという問題があった。また、凹部６の寸法が定まったものであるので、径がやや小さい場合には強固に締め付けを行うことができず、従って、締め付け力が弱く球移送管が保持部材内でがたついて、球移送中に振動や騒音を発生させるという問題があった。また、図８に示したような従来の保持部材は鋳造などによって製造されてきたために、製造工程が極めて複雑であるうえに製造に時間を要し、この結果非常にコスト高なものとなっていた。
【０００４】
【発明が解決しようとする課題】
本発明は上記した従来の問題点を解決し、球移送管の径が若干異なる場合にも球移送管を堅固に締め付けることができて、しかも製造が容易で安価な球移送管の保持部材を提供するためになされたものである。
【０００５】
【課題を解決するための手段】
上記の課題を解決するためになされた本発明の球移送管の保持部材は、略コの字形に形成されて相互に嵌合可能な第１部材と第２部材とからなる球移送管の保持部材であって、第１部材と第２部材との上側片と下側片には複数の球移送管の挿通部が設けられ、それらの側面には、嵌合された第１部材と第２部材の側面をスライド接近させて挿通部に挿通された球移送管を締め付けるためのねじ部品の締結孔が複数設けられていることを特徴とするものである。なお、球移送管の挿通部を、列状に配置された挿通孔とすることができ、また、球移送管の挿通部を、列状に配置された切込み凹部として、略コの字形に形成され第１部材と第２部材とをその開口部を対向させて嵌合させることができる。さらに、球移送管を複数の当接点でもって締め付けるために、球移送管を締め付ける側の挿通部の形状を多角形に形成することができる。
【０００６】
本発明の球移送管の保持部材は、略コの字形に形成された第１部材と第２部材の上側片と下側片に複数の球移送管の挿通部を設け、側面には複数のねじ部品の締結孔を設けて、嵌合された第１部材と第２部材との挿通部に複数本の球移送管を挿通したうえ、締結孔にねじ部品を螺入させて第１部材と第２部材を締結することによって、第１部材と第２部材の側面同士がスライド接近するので挿通部が球移送管を対向する２方向から締め付けて堅固に固定することができる。
【０００７】
【発明の実施の形態】
以下に図面を参照しつつ本発明の好ましい実施形態を示す。図１は本発明の第１の実施形態の球移送管の保持部材を示す図であって、１は板材が略コの字形に形成された第１部材、２は同じく板材が略コの字形に形成されて、第１部材の内側に嵌合可能な第２部材であり、３は第１部材と第２部材を締結するためのビスなどのねじ部品である。そして、各々の部材の上側片１１、２１と下側片１２、２２には球移送管の挿通部としての挿通孔１４、２４が複数個横一列に設けられており、また、側面１３、２３にはねじ部品３が螺入される締結孔１５、２５が複数個設けられている。このような第１部材１及び第２部材２は鋼板などの金属板をコの字形に折り曲げたうえ、挿通孔１４、２４を切削や型を用いて打ち抜いたりすることによって簡単に製造することができるし、成形型に樹脂などを流しこむことによっても簡単に製造することができる。なお、第１部材１の挿通孔１４の側面１３側の形状は多角形に形成され、また、第２部材２の挿通孔２４の側面２３と反対側の形状も多角形に形成されていて、締め付け応力が一点に集中することなく分散されて、締め付け過多による球移送管の変形が起こり難い形状に形成してある。
【０００８】
このような保持部材を用いて多数本の球移送管４を固定保持するには、図２に示すように、先ず二つの部材の開口部１０、２０を同一方向に向けて第１部材１の内側に第２部材２を嵌合して、各々の挿通孔１４、２４の位置がほぼ同一位置になるように組み合わせる。次いで、所要本数の球移送管４を挿通孔１４、２４に挿通したうえ、ねじ部品３によって第１部材１と第２部材２を締結することによって球移送管４を締付けて保持することができる。
【０００９】
ねじ部品３を用いて球移送管４を保持する状態を図３〜５により詳細に説明する。図３は第１部材１に第２部材２を嵌合して球移送管４を挿通孔１４、２４に挿通したうえ、ねじ部品３を締結孔１５、２５にセットした状態を示す図である。なお、締結孔１５は雌ねじの形成されていない単なる貫通孔であるが、締結孔２５は雌ねじが形成されたねじ孔である。図３において、ねじ部品３は十分締め付け回転されておらず第１部材１の側面１３に第２部材の側面２３を十分引きつけた状態とはなっていない。従って、この状態では球移送管４の左右両側には若干の挿通孔１４及び２４の隙間が残存している。この状態でさらにねじ部品３の締結を進めていくと、図４に示す如く第２部材の側面２３が第１部材１の側面１３にスライド接近して第２部材２の挿通孔２４の一方の側面（図では左側の側面）が球移送管４に当接する。次いで、さらにねじ部品３の締結を進めると、図５に示す如く第２部材の側面２３が第１部材１の側面１３に一層引き付けられる結果第１部材１の挿通孔１４の一方の側面（図では右側の側面）が球移送管４に当接することとなる。従って、球移送管４はその左側面が第２部材の挿通孔２４の側面によって締め付けられ、右側面が第１部材の挿通孔１４の側面によって締め付けられることとなって、球移送管４を堅固に固定することができる。図５の締結完了状態において、平面図から分かるように球移送管４の左側は多角形が形成された第２部材の挿通孔２４により３点締め付けされ、球移送管４の右側は多角形が形成された第１部材の挿通孔１４により３点締め付けされるので、球移送管４にかかる応力が分散されて、球移送管４を対向する２方向から変形させることなく堅固に保持することができる。なお、挿通孔１４、２４は球移送管４の径より若干大きめに設けてあるので、球移送管４が若干大きい場合にも挿通可能である。また、図５に示す締結完了状態において、側面１３、２３の間には若干の隙間が残存しているので、球移送管４の径が若干小さい場合にも十分な締付けを行うことができる。
【００１０】
図６はこのような保持部材を２組使用して７本の球移送管を保持した例を示す図であって、球移送管４の下部と中央付近を二組の保持部材によって締め付けたうえ、これを第１部材１に設けた取付孔５にビスなどを装着して球揚送装置などの所要位置に固定することによって、球移送管４をがたつきや振動を生ずることなく保持することができる。
【００１１】
また、本発明の球移送管の保持部材は、図７に示すように、挿通孔１４、２４に代えて、開口部１０、２０側より切込んで形成した切込み凹部１６、２６を設け、これによって球移送管４を挟み込んでも保持することができる。即ち、第１部材１の上側片１１と下側片１２に先端形状を角形とした切込み凹部１６を設け、一方の第２部材２の上側片２１と下側片２２にも先端形状を角形とした切込み凹部２６を設け、この第１部材１と第２部材の開口部１０、２０を向き合わせて第２部材２を第１部材１に嵌合したうえ、球移送管４を挿通してねじ部品３により第１部材１の側面１３と第２部材の側面２３とをスライド接近させることによって、挿通された球移送管４を対向する２方向から締め付けることができる。なお、ねじ部品３の締結孔１５、２５は隣り合う切込み凹部１６、２６の中間位置に設けてあるので、ねじ部品３は球移送管４に邪魔されることなく対向する側面１３と側面２３を締結することができる。なお、既記した第１の実施形態においても第１部材１と第２部材２の開口部１０、２０を向き合わせて嵌合させても球移送管４を締め付けることができるのは勿論のことである。
【００１２】
上記した実施形態においては第１部材１、第２部材２に挿通孔１４、２４、又は切込み凹部１６、２６の何れかを設けたものであるが、第１部材１、第２部材２の何れかに挿通孔１４、２４を設け、他方の部材に切込み凹部１６、２６を設けて、開口部１０、２０を同一方向に向けて、又は対向させて嵌合することによっても球移送管４を締め付けて固定することができる。また、第１部材１、第２部材２に挿通孔１４、２４及び切込み凹部１６、２６を適宜混在させて形成しても同様な効果を得ることができる。
【００１３】
【発明の効果】
以上に説明したように、本発明の球移送管の保持部材は、略コの字形に形成された第１部材と第２部材の上側片と下側片に複数の球移送管の挿通孔又は切込み凹部を設け、側面には複数のねじ部品の締結孔を設けたので、締結孔にねじ部品を螺入させて第１部材と第２部材を締結することにより、第１部材と第２部材の側面同士をスライド接近させて、挿通孔又は切込み凹部に挿通された球移送管を対向する２方向から締め付けて堅固に保持することができる。また、保持部材の挿通孔又は切込み凹部の形状を多角形として、球移送管を複数の当接点でもって締め付けるようにしたので、締結応力を複数の個所に分散させることができて、球移送管を変形させることなく堅固に保持することができる。また、球移送管の締め付けを対向する２方向から行うようにしたので、球移送管の径が若干大きい場合にも柔軟に対応することができ、新たな保持部材を用意する必要がない。また、径が若干小さい場合にも、第１部材と第２部材をより接近させることにより球移送管を十分締め付けることができ、がたつきや振動を発生させることがない。さらに、保持部材は鋼板などを用いて簡単に製造することができるので、従来よりも軽量化できて、且つコストを大幅に低減できる利点がある。
【図面の簡単な説明】
【図１】  本発明の第１の実施形態である保持部材を示す斜視図である。
【図２】  球移送管を保持部材に挿通する状態を示す斜視図である。
【図３】  球移送管を保持部材に挿通した状態を示す部分断面図と要部平面図である。
【図４】  球移送管を締め付け途中の保持部材を示す部分断面図と要部平面図である。
【図５】  球移送管を締め付け完了した保持部材を示す部分断面図と要部平面図である。
【図６】  ７本の球移送管を二組の保持部材により保持した例を示す斜視図である。
【図７】  本発明の第２の実施形態である保持部材を示す斜視図である。
【図８】  従来の球移送管の保持部材の例を示す平面図である。
【符号の説明】
１  第１部材
１０  開口部
１１  上側片
１２  下側片
１３  側面
１４  挿通孔
１５  締結孔
１６  切込み凹部
２  第２部材
２０  開口部
２１  上側片
２２  下側片
２３  側面
２４  挿通孔
２５  締結孔
２６  切込み凹部
３  ねじ部品
４  球移送管
５  取付孔
６  半円形の凹部
７  ビス
【図１】
0003698421.tif 000002
【図２】
0003698421.tif 000003
【図３】
0003698421.tif 000004
【図４】
0003698421.tif 000005
【図５】
0003698421.tif 000006
【図６】
0003698421.tif 000007
【図７】
0003698421.tif 000008
【図８】
0003698421.tif 000009